(57)【要約】【課題】４色以上の光を利用する場合であっても、装置全体のコスト上昇を抑制することを可能とする投写型映像表示装置及び照明装置を提供する。【解決手段】投写型映像表示装置１００は、クロスダイクロイックキューブ２０Ａとダイクロイックキューブ２０Ｂとの間に設けられており、クロスダイクロイックキューブ２０Ａで合成される色成分光を変調する液晶パネル３０の像を、ダイクロイックキューブ２０Ｂの入射面に結像する中間結像ユニット４０と、ダイクロイックキューブ２０Ｂから出射された合成光を投写する投写レンズユニット１１０とを備える。【選択図】図２
2008185938.tif 000002
【特許請求の範囲】
【請求項１】
複数種類の色成分光をそれぞれ変調する複数の第１光変調素子と、
前記複数の第１光変調素子によって変調された色成分光がそれぞれ入射する複数の第１入射面と、前記複数の第１入射面から入射した色成分光が合成された第１合成光が出射される第１出射面とを有する第１色合成部と、
前記第１合成光を含む複数種類の色成分光がそれぞれ入射する複数の第２入射面と、前記複数の第２入射面から入射した色成分光が合成された第２合成光が出射される第２出射面とを有する第２色合成部と、
前記第１出射面と前記第２入射面との間に設けられており、前記第１光変調素子の像を前記第２入射面に結像する中間結像部と、
前記第２出射面から出射された前記第２合成光を投写する投写レンズユニットとを備えることを特徴とする投写型映像表示装置。
【請求項２】
前記第１色合成部は、赤成分光、緑成分光及び黄成分光が合成された前記第１合成光を出射し、
前記第２色合成部は、前記第１合成光及び青成分光が合成された前記第２合成光を出射することを特徴とする請求項１に記載の投写型映像表示装置。
【請求項３】
前記第１色合成部は、赤成分光及び黄成分光が合成された前記第１合成光を出射し、
前記第２色合成部は、前記第１合成光、緑成分光及び青成分光が合成された前記第２合成光を出射することを特徴とする請求項１に記載の投写型映像表示装置。
【請求項４】
前記第１色合成部は、赤成分光、緑成分光及び青成分光が合成された前記第１合成光を出射し、
前記第２色合成部は、前記第１合成光及び黄成分光が合成された前記第２合成光を出射することを特徴とする請求項１に記載の投写型映像表示装置。
【請求項５】
複数種類の色成分光を出射する光源と、
前記光源から出射された複数種類の色成分光を、赤色成分光、緑色成分光及び青色成分光に分離する色分離手段とを備え、
前記色分離手段は、前記光源から出射された複数種類の色成分光から、前記青色成分光よりも前記赤色成分光を先に分離することを特徴とする請求項１に記載の投写型映像表示装置。
【請求項６】
複数種類の色成分光を出射する光源と、
前記光源から出射された複数種類の色成分光を、赤色成分光、緑色成分光及び青色成分光に分離する色分離手段とを備え、
前記色分離手段は、前記光源から出射された複数種類の色成分光から、前記赤色成分光よりも前記青色成分光を先に分離することを特徴とする請求項１に記載の投写型映像表示装置。
【請求項７】
複数種類の色成分光をそれぞれ変調する複数の第１光変調素子と、
前記複数の第１光変調素子によって変調された色成分光がそれぞれ入射する複数の第１入射面と、前記複数の第１入射面から入射した色成分光が合成された第１合成光が出射される第１出射面とを有する第１色合成部と、
前記第１合成光を含む複数種類の色成分光がそれぞれ入射する複数の第２入射面と、前記複数の第２入射面から入射した色成分光が合成された第２合成光が出射される第２出射面とを有する第２色合成部と、
前記第１出射面と前記第２入射面との間に設けられており、前記第１光変調素子の像を前記第２入射面に結像する中間結像部とを備えることを特徴とする照明装置。
【発明の詳細な説明】
【技術分野】
【０００１】
本発明は、４種類以上の色成分光を利用する投写型映像表示装置及び照明装置に関する。
【背景技術】
【０００２】
従来、３種類の色成分光に対応する３つの光変調素子と、３つの光変調素子から出射される色成分光を合成するクロスダイクロイックキューブと、クロスダイクロイックキューブで合成された色成分光を投写する投写レンズユニットとを有する投写型映像表示装置が知られている。
【０００３】
ここで、クロスダイクロイックキューブは、色成分光が入射する３つの光入射面と、色成分光が出射する１つの光出射面とを有している。従って、クロスダイクロイックキューブに入射する色成分光が３種類である場合には、投写型映像表示装置は、一つのクロスダイクロイックキューブを色合成部として有していれば足りる。
【０００４】
一方で、色再現性や輝度の向上を目的として、４種類以上の光を利用する投写型映像表示装置が提案されている。例えば、投写型映像表示装置は、赤、緑及び青の３色に加えて、オレンジ、黄又はシアンを利用することによって、色再現性や輝度の向上を図っている（例えば、特許文献１）。
【特許文献１】特開２００２−２８７２４７号公報（請求項１、請求項４、図１など）
【発明の開示】
【発明が解決しようとする課題】
【０００５】
ここで、投写型映像表示装置が４種類以上の色成分光を有する場合には、一つの色合成部（クロスダイクロイックキューブ）で４種類以上の色成分光を合成することができない。従って、投写型映像表示装置は、複数の色合成部（ダイクロイックキューブ又はクロスダイクロイックキューブ）を有する必要がある。
【０００６】
例えば、４種類の色成分光の合成が必要である場合には、投写型映像表示装置は、２種類の色成分光が合成された合成光を２つ取得して、２つの合成光をさらに合成することによって、４種類の色成分光が合成された合成光を取得する。なお、投写型映像表示装置は、３種類の色成分光が合成された合成光を取得して、合成光と１種類の色成分光とを合成することによって、４種類の色成分光が合成された合成光を取得してもよい。投写型映像表示装置は、２色の色成分光が合成された合成光を取得して、合成光と２種類の色成分光とを合成することによって、４種類の色成分光が合成された合成光を取得してもよい。
【０００７】
ここで、４種類以上の色成分光に対応する各光変調素子から投写レンズユニットまでの光路長は同一である必要がある。また、光変調素子と投写レンズユニットとの間に、複数の色合成部（ダイクロイックキューブ又はクロスダイクロイックキューブ）を設ける必要がある。従って、投写レンズユニットのバックフォーカスが長くなる。
【０００８】
この結果、３種類の色成分光を利用する投写型映像表示装置で用いられる投写レンズユニットを転用することができないため、投写型映像表示装置のコストが全体として上昇してしまう。
【０００９】
そこで、本発明は、上述した課題を解決するためになされたものであり、４種類以上の色成分光を利用する場合であっても、装置全体のコスト上昇を抑制することを可能とする投写型映像表示装置及び照明装置を提供することを目的とする。
【課題を解決するための手段】
【００１０】
本発明の一の特徴では、複数種類の色成分光をそれぞれ変調する複数の第１光変調素子と、前記複数の第１光変調素子によって変調された色成分光がそれぞれ入射する複数の第１入射面（例えば、入射面２１Ａ〜入射面２３Ａ）と、前記複数の第１入射面から入射した色成分光が合成された第１合成光が出射される第１出射面（例えば、出射面２４Ａ）とを有する第１色合成部（例えば、クロスダイクロイックキューブ２０Ａ）と、前記第１合成光を含む複数種類の色成分光がそれぞれ入射する複数の第２入射面（例えば、入射面２１Ｂ及び入射面２２Ｂ）と、前記複数の第２入射面から入射した色成分光が合成された第２合成光が出射される第２出射面（例えば、出射面２４Ｂ）とを有する第２色合成部（例えば、ダイクロイックキューブ２０Ｂ）と、前記第１出射面と前記第２入射面との間に設けられており、前記第１光変調素子の像を前記第２入射面に結像する中間結像部（中間結像ユニット４０）と、前記第２出射面から出射された前記第２合成光を投写する投写レンズユニット（投写レンズユニット１１０）とを投写型映像表示装置が備える。
【００１１】
かかる特徴によれば、第１色合成部と第２色合成部との間に設けられた中間結像部が、第２色合成部の第２入射面に第１光変調素子の像を結像する。これによって、４種類以上の色成分光にそれぞれ対応する４種類以上の像から投写レンズユニットまでの距離が擬似的に同じとなる。
【００１２】
従って、４種類以上の色成分光を利用する場合であっても、３種類の色成分光を利用する投写型映像表示装置で用いられる投写レンズユニットを転用することができ、投写型映像表示装置のコストを全体として抑制できる。
【００１３】
本発明の一の特徴では、上述した一の特徴に加えて、前記第１色合成部が、赤成分光、緑成分光及び黄成分光が合成された前記第１合成光を出射し、前記第２色合成部が、前記第１合成光及び青成分光が合成された前記第２合成光を出射する。
【００１４】
本発明の一の特徴では、上述した一の特徴に加えて、前記第１色合成部が、赤成分光及び黄成分光が合成された前記第１合成光を出射し、前記第２色合成部が、前記第１合成光、緑成分光及び青成分光が合成された前記第２合成光を出射する。
【００１５】
本発明の一の特徴では、上述した一の特徴に加えて、前記第１色合成部が、赤成分光、緑成分光及び青成分光が合成された前記第１合成光を出射し、前記第２色合成部が、前記第１合成光及び黄成分光が合成された前記第２合成光を出射する。
【００１６】
本発明の一の特徴では、上述した一の特徴において、投写型映像表示装置は、複数種類の色成分光を出射する光源と、前記光源から出射された複数種類の色成分光を、赤色成分光、緑色成分光及び青色成分光に分離する色分離手段とを備え、前記色分離手段は、前記光源から出射された複数種類の色成分光から、前記青色成分光よりも前記赤色成分光を先に分離する。
【００１７】
本発明の一の特徴では、上述した一の特徴において、投写型映像表示装置は、複数種類の色成分光を出射する光源と、前記光源から出射された複数種類の色成分光を、赤色成分光、緑色成分光及び青色成分光に分離する色分離手段とを備え、前記色分離手段は、前記光源から出射された複数種類の色成分光から、前記赤色成分光よりも前記青色成分光を先に分離する。
【００１８】
本発明の一の特徴では、複数種類の色成分光をそれぞれ変調する複数の第１光変調素子と、前記複数の第１光変調素子によって変調された色成分光がそれぞれ入射する複数の第１入射面と、前記複数の第１入射面から入射した色成分光が合成された第１合成光が出射される第１出射面とを有する第１色合成部と、前記第１合成光を含む複数種類の色成分光がそれぞれ入射する複数の第２入射面と、前記複数の第２入射面から入射した色成分光が合成された第２合成光が出射される第２出射面とを有する第２色合成部と、前記第１出射面と前記第２入射面との間に設けられており、前記第１光変調素子の像を前記第２入射面に結像する中間結像部とを照明装置が備える。
【発明の効果】
【００１９】
本発明によれば、４種類以上の色成分光を利用する場合であっても、装置全体のコスト上昇を抑制することを可能とする投写型映像表示装置及び照明装置を提供することができる。
【発明を実施するための最良の形態】
【００２０】
以下において、本発明の実施形態に係る投写型映像表示装置について、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（投写型映像表示装置の概略）
以下において、第１実施形態に係る投写型映像表示装置の概略について、図面を参照しながら説明する。図１は、第１実施形態に係る投写型映像表示装置１００の概略を示す図である。
【００２３】
図１に示すように、投写型映像表示装置１００は、投写レンズユニット１１０を有しており、投写レンズユニット１１０によって拡大された映像光をスクリーン２００上に投写する。投写型映像表示装置１００は、後述するように、赤成分光Ｒ、緑成分光Ｇ及び青成分光Ｂに加えて、黄成分光Ｙｅを利用する。
【００２４】
（照明装置の構成）
以下において、第１実施形態に係る照明装置の概略構成について、図面を参照しながら説明する。図２は、第１実施形態に係る照明装置１２０の概略構成を示す図である。
【００２５】
図２では、光源１０が発する光を均質化するフライアイレンズ、光源１０が発する光の偏光方向を揃えるＰＢＳ（Ｐｏｌａｒｉｚｅｄ  Ｂｅａｍ  Ｓｐｌｉｔｔｅｒ）などが省略されていることに留意すべきである。また、照明装置１２０は、上述した投写レンズユニット１１０を構成として含まないことに留意すべきである。
【００２６】
図２に示すように、照明装置１２０は、光源１０と、クロスダイクロイックキューブ２０Ａと、ダイクロイックキューブ２０Ｂと、複数の液晶パネル３０（液晶パネル３０Ｒ、液晶パネル３０Ｇ、液晶パネル３０Ｂ及び液晶パネル３０Ｙｅ）と、中間結像ユニット４０とを有する。
【００２７】
光源１０は、白色光を発するＵＨＰランプなどである。すなわち、光源１０が発する光は、赤成分光Ｒ、緑成分光Ｇ、青成分光Ｂ及び黄成分光Ｙｅを少なくとも含む。
【００２８】
クロスダイクロイックキューブ２０Ａ（第１色合成部）は、複数種類の色成分光が入射する複数の入射面（入射面２１Ａ、入射面２２Ａ及び入射面２３Ａ）と、複数の入射面から入射した色成分光が合成された合成光が出射される出射面（出射面２４Ａ）とを有する。具体的には、各入射面から入射した色成分光は、ダイクロイック面２５Ａ及びダイクロイック面２６Ａによって合成され、出射面２４Ａから出射される。
【００２９】
第１実施形態では、入射面２１Ａには、液晶パネル３０Ｂによって変調された青成分光Ｂが入射する。一方で、入射面２２Ａには、液晶パネル３０Ｇによって変調された緑成分光Ｇが入射し、入射面２３Ａには、液晶パネル３０Ｒによって変調された赤成分光Ｒが入射する。
【００３０】
第１実施形態では、ダイクロイック面２５Ａは、赤成分光Ｒを反射して出射面２４Ａ側に導き、他の色成分光を透過して出射面２４Ａ側に導く。一方で、ダイクロイック面２６Ａは、青成分光Ｂを反射して出射面２４Ａ側に導き、他の色成分光を透過して出射面２４Ａ側に導く。
【００３１】
ダイクロイックキューブ２０Ｂ（第２色合成部）は、クロスダイクロイックキューブ２０Ａから出射された合成光を含む複数種類の色成分光が入射する複数の入射面（入射面２１Ｂ及び入射面２２Ｂ）と、複数の入射面から入射した色成分光が合成された合成光が出射される出射面（出射面２４Ｂ）とを有する。具体的には、各入射面から入射した色成分光は、ダイクロイック面２５Ｂによって合成され、出射面２４Ｂから出射される。
【００３２】
第１実施形態では、入射面２１Ｂには、クロスダイクロイックキューブ２０Ａから出射された合成光が入射する。一方で、入射面２２Ｂには、液晶パネル３０Ｙｅによって変調された黄成分光Ｙｅが入射する。
【００３３】
第１実施形態では、ダイクロイック面２５Ｂは、黄成分光Ｙｅを反射して出射面２４Ｂ側に導き、他の色成分光を透過して出射面２４Ｂ側に導く。
【００３４】
液晶パネル３０Ｒは、赤成分光Ｒを変調する。同様に、液晶パネル３０Ｇは緑成分光Ｇを変調し、液晶パネル３０Ｂは青成分光Ｂを変調し、液晶パネル３０Ｙｅは黄成分光Ｙｅを変調する。
【００３５】
中間結像ユニット４０は、クロスダイクロイックキューブ２０Ａとダイクロイックキューブ２０Ｂとの間において、クロスダイクロイックキューブ２０Ａから出射された合成光の光路上に設けられている。中間結像ユニット４０は、クロスダイクロイックキューブ２０Ａで合成される色成分光を変調する液晶パネルの像をダイクロイックキューブ２０Ｂの入射面２１Ｂ（位置３５）に略結像する。具体的には、中間結像ユニット４０は、複数のレンズ群（レンズ４１〜レンズ４５）を有しており、複数のレンズ群によって液晶パネルの像を位置３５に略結像する。
【００３６】
第１実施形態では、中間結像ユニット４０は、液晶パネル３０Ｒ、液晶パネル３０Ｇ及び液晶パネル３０Ｂの像をダイクロイックキューブ２０Ｂの入射面２１Ｂ（位置３５）に略結像する。
【００３７】
また、照明装置１２０は、複数のレンズ５０（レンズ５０Ｒ、レンズ５０Ｇ、レンズ５０Ｂ及びレンズ５０Ｙｅ）と、複数のダイクロイックミラー（ダイクロイックミラー６１、ダイクロイックミラー６２及びダイクロイックミラー６３）と、複数の反射ミラー（反射ミラー７１、反射ミラー７２及び反射ミラー７３）とを有する。
【００３８】
レンズ５０Ｒは、液晶パネル３０Ｒから出射された光が投写レンズユニット１１０に照射されるように、赤成分光Ｒを集光するレンズである。同様に、レンズ５０Ｇ、レンズ５０Ｂ及びレンズ５０Ｙｅは、液晶パネル３０Ｇ、液晶パネル３０Ｂ及び液晶パネル３０Ｙｅから出射された光が投写レンズユニット１１０に照射されるように、緑成分光Ｇ、青成分光Ｂ及び黄成分光Ｙｅを集光するレンズである。
【００３９】
ダイクロイックミラー６１、ダイクロイックミラー６２及びダイクロイックミラー６３は、光源１０から出射された光を分離する色分離手段である。
【００４０】
第１実施形態では、ダイクロイックミラー６１は、赤成分光Ｒ及び黄成分光Ｙｅを反射して、緑成分光Ｇ及び青成分光Ｂを透過する。ダイクロイックミラー６２は、緑成分光Ｇを反射して、青成分光Ｂを透過する。ダイクロイックミラー６３は、赤成分光Ｒを反射して、黄成分光Ｙｅを透過する。
【００４１】
反射ミラー７１、反射ミラー７２及び反射ミラー７３は、色分離手段によって分離された色成分光を反射して、各色成分光を色合成手段（クロスダイクロイックキューブ２０Ａ又はダイクロイックキューブ２０Ｂ）側に導く。
【００４２】
第１実施形態では、反射ミラー７１及び反射ミラー７２は、青成分光Ｂを反射して、青成分光Ｂをクロスダイクロイックキューブ２０Ａ側に導く。反射ミラー７３は、黄成分光Ｙｅを反射して、黄成分光Ｙｅをダイクロイックキューブ２０Ｂ側に導く。
【００４３】
（作用及び効果）
第１の特徴に係る投写型映像表示装置１００（又は、照明装置１２０）によれば、クロスダイクロイックキューブ２０Ａから出射された合成光の光路上に設けられた中間結像ユニット４０が、ダイクロイックキューブ２０Ｂの入射面（位置３５）に、クロスダイクロイックキューブ２０Ａによって合成される色成分光を変調する液晶パネル３０の像を結像する。これによって、４種類以上の色成分光にそれぞれ対応する４種類以上の像から投写レンズユニットまでの距離が擬似的に同じとなる。
【００４４】
従って、４種類以上の色成分光を利用する場合であっても、３種類の色成分光を利用する投写型映像表示装置で用いられる投写レンズユニットを転用することができ、投写型映像表示装置のコストを全体として抑制できる。
【００４５】
［第２実施形態］
以下において、第２実施形態について図面を参照しながら説明する。以下においては、上述した第１実施形態と第２実施形態との相違点について主として説明する。
【００４６】
具体的には、上述した第１実施形態では、クロスダイクロイックキューブ２０Ａは、赤成分光Ｒ、緑成分光Ｇ及び青成分光Ｂを合成し、ダイクロイックキューブ２０Ｂは、クロスダイクロイックキューブ２０Ａから出射される合成光及び黄成分光Ｙｅを合成する。
【００４７】
これに対して、第２実施形態では、クロスダイクロイックキューブ２０Ａは、赤成分光Ｒ、緑成分光Ｇ及び黄成分光Ｙｅを合成し、ダイクロイックキューブ２０Ｂは、クロスダイクロイックキューブ２０Ａから出射される合成光及び青成分光Ｂを合成する。
【００４８】
（照明装置の構成）
以下において、第２実施形態に係る照明装置の概略構成について、図面を参照しながら説明する。図３は、第２実施形態に係る照明装置１２０の概略構成を示す図である。
【００４９】
図３に示すように、クロスダイクロイックキューブ２０Ａは、赤成分光Ｒ、緑成分光Ｇ及び黄成分光Ｙｅを合成し、ダイクロイックキューブ２０Ｂは、クロスダイクロイックキューブ２０Ａから出射される合成光及び青成分光Ｂを合成する。
【００５０】
具体的には、第２実施形態に係るクロスダイクロイックキューブ２０Ａでは、入射面２１Ａには、液晶パネル３０Ｒによって変調された赤成分光Ｒが入射する。一方で、入射面２２Ａには、液晶パネル３０Ｙｅによって変調された黄成分光Ｙｅが入射し、入射面２３Ａには、液晶パネル３０Ｇによって変調された緑成分光Ｇが入射する。
【００５１】
第２実施形態では、ダイクロイック面２５Ａは、緑成分光Ｇを反射して出射面２４Ａ側に導き、他の色成分光を透過して出射面２４Ａ側に導く。一方で、ダイクロイック面２６Ａは、赤成分光Ｒを反射して出射面２４Ａ側に導き、他の色成分光を透過して出射面２４Ａ側に導く。
【００５２】
第２実施形態に係るダイクロイックキューブ２０Ｂでは、入射面２１Ｂには、クロスダイクロイックキューブ２０Ａから出射された合成光が入射する。一方で、入射面２２Ｂには、液晶パネル３０Ｂによって変調された青成分光Ｂが入射する。
【００５３】
第２実施形態では、ダイクロイック面２５Ｂは、青成分光Ｂを反射して出射面２４Ｂ側に導き、他の色成分光を透過して出射面２４Ｂ側に導く。
【００５４】
これに伴って、ダイクロイックミラー６１は、緑成分光Ｇ及び青成分光Ｂを反射して、赤成分光Ｒ及び黄成分光Ｙｅを透過する。ダイクロイックミラー６２は、黄成分光Ｙｅを反射して、赤成分光Ｒを透過する。ダイクロイックミラー６３は、緑成分光Ｇを反射して、青成分光Ｂを透過する。
【００５５】
（作用及び効果）
第２実施形態に係る投写型映像表示装置１００（又は、照明装置１２０）によれば、クロスダイクロイックキューブ２０Ａ及びダイクロイックキューブ２０Ｂが合成する色成分光の種類が異なっていても、上述した第１実施形態と同様の効果を得ることができる。
【００５６】
第２実施形態に係る投写型映像表示装置１００（又は、照明装置１２０）では、一般的にレンズ透過率が悪い青成分光Ｂ（短波長の色成分光）が中間結像ユニット４０を透過せずに、一般的にレンズ透過率が良好な他の色成分光が中間結像ユニット４０を透過する。従って、中間結像ユニット４０を透過する色成分光の光量減少を抑制することができる。
【００５７】
特に、光源１０がＵＨＰランプである場合には、青成分光Ｂの光量が元々少ないため、第２実施形態に係る構成を適用することが好ましい。
【００５８】
［第３実施形態］
以下において、第３実施形態について図面を参照しながら説明する。以下においては、上述した第２実施形態と第３実施形態との相違点について主として説明する。
【００５９】
具体的には、上述した第２実施形態では、中間結像ユニット４０は、クロスダイクロイックキューブ２０Ａから出射された合成光の光路を曲げていない。これに対して、第３実施形態では、中間結像ユニット４０は、クロスダイクロイックキューブ２０Ａから出射された合成光の光路を曲げる。
【００６０】
（照明装置の構成）
以下において、第３実施形態に係る照明装置の概略構成について、図面を参照しながら説明する。図４は、第３実施形態に係る照明装置１２０の概略構成を示す図である。
【００６１】
図４に示すように、中間結像ユニット４０は、複数のレンズ群（レンズ４１〜レンズ４４）に加えて、反射ミラー４８を有する。中間結像ユニット４０は、クロスダイクロイックキューブ２０Ａから出射された合成光の光路を反射ミラー４８によって曲げる。
【００６２】
（作用及び効果）
第３実施形態に係る投写型映像表示装置１００（又は、照明装置１２０）によれば、中間結像ユニット４０Ｂが反射ミラー４８を有しているため、各構成（クロスダイクロイックキューブ２０Ａ、ダイクロイックキューブ２０Ｂ及び液晶パネル３０）の配置関係について設計自由度が大きくなる。これに伴って、投写型映像表示装置１００（又は、照明装置１２０）の小型化を図ることが容易となる。なお、上述した第１実施形態と同様の効果を得ることができることは勿論である。
【００６３】
［第４実施形態］
以下において、第４実施形態について図面を参照しながら説明する。以下においては、上述した第１実施形態と第４実施形態との相違点について主として説明する。
【００６４】
具体的には、上述した第１実施形態では、第１色合成部は、クロスダイクロイックキューブによって構成されており、第２色合成部は、ダイクロイックキューブによって構成されている。
【００６５】
これに対して、第４実施形態では、第１色合成部は、ダイクロイックキューブによって構成されており、第２色合成部は、クロスダイクロイックキューブによって構成されている。
【００６６】
（照明装置の構成）
以下において、第４実施形態に係る照明装置の概略構成について、図面を参照しながら説明する。図５は、第４実施形態に係る照明装置１２０の概略構成を示す図である。
【００６７】
図５に示すように、照明装置１２０は、クロスダイクロイックキューブ２０Ａ及びダイクロイックキューブ２０Ｂに代えて、ダイクロイックキューブ１２０Ａ及びクロスダイクロイックキューブ１２０Ｂを有する。
【００６８】
ダイクロイックキューブ１２０Ａ（第１色合成部）は、複数種類の色成分光が入射する複数の入射面（入射面１２１Ａ及び入射面１２２Ａ）と、複数の入射面から入射した色成分光が合成された合成光が出射される出射面（出射面１２４Ａ）とを有する。具体的には、各入射面から入射した色成分光は、ダイクロイック面１２５Ａによって合成され、出射面１２４Ａから出射される。
【００６９】
第４実施形態では、入射面１２１Ａには、液晶パネル３０Ｒによって変調された赤成分光Ｒが入射する。一方で、入射面１２２Ａには、液晶パネル３０Ｙｅによって変調された黄成分光Ｙｅが入射する。
【００７０】
第４実施形態では、ダイクロイック面１２５Ａは、黄成分光Ｙｅを反射して出射面１２４Ａ側に導き、他の色成分光を透過して出射面１２４Ａ側に導く。
【００７１】
クロスダイクロイックキューブ１２０Ｂ（第２色合成部）は、ダイクロイックキューブ１２０Ａから出射された合成光を含む複数種類の色成分光が入射する複数の入射面（入射面１２１Ｂ、入射面１２２Ｂ及び入射面１２３Ｂ）と、複数の入射面から入射した色成分光が合成された合成光が出射される出射面（出射面１２４Ｂ）とを有する。具体的には、各入射面から入射した色成分光は、ダイクロイック面１２５Ｂ及びダイクロイック面１２６Ｂによって合成され、出射面１２４Ｂから出射される。
【００７２】
第４実施形態では、入射面１２１Ｂ及び入射面１２２Ｂには、液晶パネル３０Ｇ及び液晶パネル３０Ｂによって変調された緑成分光Ｇ及び青成分光Ｂが入射する。一方で、入射面１２３Ｂには、ダイクロイックキューブ１２０Ａから出射された合成光が入射する。
【００７３】
第４実施形態では、ダイクロイック面１２５Ｂは、ダイクロイックキューブ１２０Ａから出射された合成光を反射して出射面１２４Ｂ側に導き、他の色成分光を出射面１２４Ｂ側に導く。一方で、ダイクロイック面１２６Ｂは、青成分光Ｂを反射して出射面１２４Ｂ側に導き、他の色成分光を透過して出射面１２４Ｂ側に導く。
【００７４】
また、照明装置１２０は、ダイクロイックミラー６１〜ダイクロイックミラー６３に代えて、ダイクロイックミラー１６１、ダイクロイックミラー１６２及びクロスダイクロイックキューブ１８０を有する。
【００７５】
ダイクロイックミラー１６１、ダイクロイックミラー１６２及びクロスダイクロイックキューブ１８０は、光源１０から出射された光を分離する色分離手段である。
【００７６】
第４実施形態では、クロスダイクロイックキューブ１８０は、赤成分光Ｒ及び黄成分光Ｙｅを反射して、他の色成分光を透過するダイクロイック面１８０Ａと、緑成分光Ｇ及び青成分光Ｂを反射して、他の色成分光を透過するダイクロイック面１８０Ｂとを有する。ダイクロイックミラー１６１は、緑成分光Ｇを反射して、青成分光Ｂを透過する。ダイクロイックミラー１６２は、黄成分光Ｙｅを反射して、赤成分光Ｒを透過する。
【００７７】
さらに、照明装置１２０は、反射ミラー７１〜反射ミラー７３に代えて、反射ミラー１７１〜反射ミラー１７４を有する。
【００７８】
反射ミラー１７１〜反射ミラー１７４は、色分離手段によって分離された色成分光を反射して、各色成分光を色合成手段（ダイクロイックキューブ１２０Ａ及びクロスダイクロイックキューブ１２０Ｂ）側に導く。
【００７９】
第４実施形態では、反射ミラー１７１及び反射ミラー１７２は、青成分光Ｂを反射して、青成分光Ｂをクロスダイクロイックキューブ１２０Ｂ側に導く。反射ミラー１７３及び反射ミラー１７４は、赤成分光Ｒを反射して、赤成分光Ｒをダイクロイックキューブ１２０Ａ側に導く。
【００８０】
（作用及び効果）
第４実施形態に係る投写型映像表示装置１００（又は、照明装置１２０）によれば、第１色合成部及び第２色合成部が合成する色成分光の数が異なっていても、上述した第１実施形態と同様の効果を得ることができる。
【００８１】
第４実施形態に係る投写型映像表示装置１００（又は、照明装置１２０）では、中間結像ユニット４０を透過する色成分光が赤成分光Ｒ及び黄成分光Ｙｅのみである。すなわち、上述した実施形態に比べて、中間結像ユニット４０を透過する色成分光の種類が減少する。従って、中間結像ユニット４０を設計する際に考慮すべき色成分光の波長帯域が減少するため、色収差等の結像特性や透過率の波長依存特性について必要な条件が緩和される。これによって、中間結像ユニット４０の設計が容易となるため、投写型映像表示装置１００のコストをさらに削減することができる。
【００８２】
［第５実施形態］
以下において、第５実施形態について図面を参照しながら説明する。以下においては、上述した第４実施形態と第５実施形態との相違点について主として説明する。具体的には、上述した第４実施形態と第５実施形態とでは、色分離手段の構成が異なっている。
【００８３】
（照明装置の構成）
以下において、第５実施形態に係る照明装置の概略構成について、図面を参照しながら説明する。図６は、第５実施形態に係る照明装置１２０の概略構成を示す図である。
【００８４】
図６に示すように、照明装置１２０は、ダイクロイックミラー１６１、ダイクロイックミラー１６２及びクロスダイクロイックキューブ１８０に代えて、ダイクロイックミラー２６１、ダイクロイックミラー２６２及びダイクロイックミラー２６３を有する。
【００８５】
ダイクロイックミラー２６１、ダイクロイックミラー２６２及びダイクロイックミラー２６３は、光源１０から出射された光を分離する色分離手段である。
【００８６】
第５実施形態では、ダイクロイックミラー２６１は、緑成分光Ｇ、青成分光Ｂ及び黄成分光Ｙｅを反射して、赤成分光Ｒを透過する。ダイクロイックミラー２６２は、黄成分光Ｙｅを反射して、緑成分光Ｇ及び青成分光Ｂを透過する。ダイクロイックミラー２６３は、緑成分光Ｇを反射して、青成分光Ｂを透過する。
【００８７】
また、照明装置１２０は、反射ミラー１７１〜反射ミラー１７４に代えて、反射ミラー２７１〜反射ミラー２７３を有する。
【００８８】
反射ミラー２７１〜反射ミラー２７３は、色分離手段によって分離された色成分光を反射して、各色成分光を色合成手段（ダイクロイックキューブ１２０Ａ及びクロスダイクロイックキューブ１２０Ｂ）側に導く。
【００８９】
第５実施形態では、反射ミラー２７１及び反射ミラー２７２は、青成分光Ｂを反射して、青成分光Ｂをクロスダイクロイックキューブ１２０Ｂ側に導く。反射ミラー２７３は、赤成分光Ｒを反射して、赤成分光Ｒをダイクロイックキューブ１２０Ａ側に導く。
【００９０】
（作用及び効果）
第５実施形態に係る投写型映像表示装置１００（又は、照明装置１２０）によれば、色分離手段の構成が異なっていても、上述した第１実施形態と同様の効果を得ることができる。
【００９１】
第５実施形態に係る投写型映像表示装置１００（又は、照明装置１２０）では、色分離手段（ダイクロイックミラー２６１〜ダイクロイックミラー２６３）は、光源１０が発する複数種類の色成分光から、他の色成分光（特に、青成分光Ｂ）よりも赤成分光Ｒを先に分離する。従って、中間結像ユニット４０を透過する赤成分光Ｒがダイクロイックミラー２６１〜ダイクロイックミラー２６３を透過する回数を最小限にとどめられる。
【００９２】
これによって、中間結像ユニット４０を透過する赤成分光Ｒの光量減少が抑制されて、赤成分光Ｒ、緑成分光Ｇ、青成分光Ｂ及び黄成分光Ｙｅによって再現される白色の色温度を低く設計することができる。このような構成（色混合比）は、特に、デジタルシネマ出力用の投写型映像表示装置に適している。
【００９３】
なお、赤成分光Ｒが他の色成分光よりも先に分離されるため、光源１０から液晶パネル３０Ｂまでの光路長よりも光源１０から液晶パネル３０Ｒまでの光路長を短くすることが容易である。これによって、赤成分光Ｒ、緑成分光Ｇ、青成分光Ｂ及び黄成分光Ｙｅによって再現される白色の色温度をさらに低く設計することができる。
【００９４】
［第６実施形態］
以下において、第６実施形態について図面を参照しながら説明する。以下においては、上述した第５実施形態と第６実施形態との相違点について主として説明する。具体的には、上述した第５実施形態と第６実施形態とでは、光源１０が設けられている位置が異なる。
【００９５】
（照明装置の構成）
以下において、第６実施形態に係る照明装置の概略構成について、図面を参照しながら説明する。図７は、第６実施形態に係る照明装置１２０の概略構成を示す図である。
【００９６】
図７に示すように、照明装置１２０では、上述した光源１０の位置が第５実施形態と異なっており、ダイクロイックミラー２６１〜ダイクロイックミラー２６３の機能及び向きが第５実施形態と異なる。また、反射ミラー２７１〜反射ミラー２７３の機能も第５実施形態と異なる。
【００９７】
第６実施形態では、ダイクロイックミラー２６１は、赤成分光Ｒ、緑成分光Ｇ及び黄成分光Ｙｅを反射して、青成分光Ｂを透過する。ダイクロイックミラー２６２は、緑成分光Ｇを反射して、赤成分光Ｒ及び黄成分光Ｙｅを透過する。ダイクロイックミラー２６３は、黄成分光Ｙｅを反射して、赤成分光Ｒを透過する。また、反射ミラー２７１及び反射ミラー２７２は、赤成分光Ｒを反射して、赤成分光Ｒをダイクロイックキューブ１２０Ａ側に導く。反射ミラー２７３は、青成分光Ｂを反射して、青成分光Ｂをクロスダイクロイックキューブ１２０Ｂ側に導く。
【００９８】
（作用及び効果）
第６実施形態に係る投写型映像表示装置１００（又は、照明装置１２０）によれば、色分離手段の構成が異なっていても、上述した第１実施形態と同様の効果を得ることができる。
【００９９】
第６実施形態に係る投写型映像表示装置１００（又は、照明装置１２０）では、色分離手段（ダイクロイックミラー２６１〜ダイクロイックミラー２６３）は、光源１０が発する複数種類の色成分光から、他の色成分光（特に、赤成分光Ｒ）よりも青成分光Ｂを先に分離する。従って、一般的に光量が少ない青成分光Ｂがダイクロイックミラー２６１〜ダイクロイックミラー２６３を透過する回数を最小限にとどめられる。
【０１００】
これによって、一般的に光量が少ない青成分光Ｂの光量減少が抑制されて、赤成分光Ｒ、緑成分光Ｇ、青成分光Ｂ及び黄成分光Ｙｅによって再現される白色の色温度を高く設計することができる。このような構成（色混合比）は、特に、データ出力用の投写型映像表示装置に適している。
【０１０１】
なお、青成分光Ｂが他の色成分光よりも先に分離されるため、光源１０から液晶パネル３０Ｒまでの光路長よりも光源１０から液晶パネル３０Ｂまでの光路長を短くすることが容易である。これによって、赤成分光Ｒ、緑成分光Ｇ、青成分光Ｂ及び黄成分光Ｙｅによって再現される白色の色温度を高く設計することが容易である。
【０１０２】
［第７実施形態］
以下において、第７実施形態について図面を参照しながら説明する。第７実施形態は、上述した第３実施形態と第４実施形態とを組み合わせた実施形態である。
【０１０３】
具体的には、第７実施形態では、第３実施形態と同様に、第１色合成部から出射される合成光の光路を曲げる中間結像ユニット４０が採用される。また、第７実施形態では、第４実施形態と同様に、第１色合成部としてダイクロイックキューブが採用され、第２色合成部としてクロスダイクロイックキューブが採用される。
【０１０４】
（照明装置の構成）
以下において、第７実施形態に係る照明装置の概略構成について、図面を参照しながら説明する。図８は、第７実施形態に係る照明装置１２０の概略構成を示す図である。
【０１０５】
図８に示すように、照明装置１２０は、光源１０と、複数の液晶パネル３０と、中間結像ユニット４０と、複数のレンズ５０と、ダイクロイックキューブ１２０Ａと、クロスダイクロイックキューブ１２０Ｂとを有する。また、照明装置１２０は、これらに加えて、ダイクロイックミラー３６１〜ダイクロイックミラー３６３と、反射ミラー３７１〜反射ミラー３７４とを有する。
【０１０６】
ダイクロイックミラー３６１〜ダイクロイックミラー３６３は、光源１０から出射された光を分離する色分離手段である。
【０１０７】
第７実施形態では、ダイクロイックミラー３６１は、緑成分光Ｇ及び青成分光Ｂを反射して、赤成分光Ｒ及び黄成分光Ｙｅを透過する。ダイクロイックミラー３６２は、黄成分光Ｙｅを反射して、赤成分光Ｒを透過する。ダイクロイックミラー３６３は、緑成分光Ｇを反射して、青成分光Ｂを透過する。
【０１０８】
反射ミラー３７１〜反射ミラー３７４は、色分離手段によって分離された色成分光を反射して、各色成分光を色合成手段（ダイクロイックキューブ１２０Ａ及びクロスダイクロイックキューブ１２０Ｂ）側に導く。
【０１０９】
第７実施形態では、反射ミラー３７１は、赤成分光Ｒを反射して、ダイクロイックキューブ１２０Ａ側に導く。反射ミラー３７２は、青成分光Ｂを反射して、青成分光Ｂをクロスダイクロイックキューブ１２０Ｂ側に導く。反射ミラー３７３は、緑成分光Ｇを反射して、緑成分光Ｇをクロスダイクロイックキューブ１２０Ｂ側に導く。反射ミラー３７４は、黄成分光Ｙｅを反射して、黄成分光Ｙｅをダイクロイックキューブ１２０Ａ側に導く。
【０１１０】
（作用及び効果）
第７実施形態に係る投写型映像表示装置１００（又は、照明装置１２０）によれば、上述した第３実施形態と第４実施形態とを組み合わせた場合であっても、上述した第１実施形態と同様の効果を得ることができる。
【０１１１】
また、第３実施形態と同様に、各構成の配置関係について設計自由度が大きくなる。これに伴って、投写型映像表示装置１００（又は、照明装置１２０）の小型化を図ることが容易となる。
【０１１２】
なお、ダイクロイックミラー３６１に代えて、クロスダイクロイックキューブなどを用いてもよいことは勿論である。
【０１１３】
［第８実施形態］
以下において、第８実施形態について図面を参照しながら説明する。以下においては、上述した第１実施形態と第８実施形態との相違点について主として説明する。
【０１１４】
具体的には、上述した第１実施形態では、透過型の液晶パネルを光変調素子として用いている。これに対して、第８実施形態では、反射型の液晶パネルを光変調素子として用いる。
【０１１５】
（照明装置の構成）
以下において、第８実施形態に係る照明装置の概略構成について、図面を参照しながら説明する。図９は、第８実施形態に係る照明装置１２０の概略構成を示す図である。
【０１１６】
図９に示すように、照明装置１２０は、光源１０と、複数の中間結像ユニット４０（中間結像ユニット４０Ａ及び中間結像ユニット４０Ｂ）と、複数の反射型液晶パネル１３０（反射型液晶パネル１３０Ｒ、反射型液晶パネル１３０Ｇ、反射型液晶パネル１３０Ｂ及び反射型液晶パネル１３０Ｙｅ）と、ダイクロイックミラー１５０と、ＰＢＳキューブ２２０Ａと、ＰＢＳキューブ２２０Ｂと、ダイクロイックキューブ２３０とを有する。
【０１１７】
光源１０は、上述した第１実施形態と同様に、白色光を発する白色光源である。
【０１１８】
中間結像ユニット４０Ａは、ＰＢＳキューブ２２０Ａとダイクロイックキューブ２３０との間において、ＰＢＳキューブ２２０Ａから出射される合成光の光路上に設けられている。中間結像ユニット４０Ａは、上述した中間結像ユニット４０と同様の構成を有しており、反射型液晶パネル１３０Ｒ及び反射型液晶パネル１３０Ｙｅの像をダイクロイックキューブ２３０の入射面２３１（位置３５Ａ）に略結像する。
【０１１９】
中間結像ユニット４０Ｂは、ＰＢＳキューブ２２０Ｂとダイクロイックキューブ２３０との間において、ＰＢＳキューブ２２０Ｂから出射される合成光の光路上に設けられている。中間結像ユニット４０Ｂは、上述した中間結像ユニット４０と同様の構成を有しており、反射型液晶パネル１３０Ｇ及び反射型液晶パネル１３０Ｂの像をダイクロイックキューブ２３０の入射面２３２（位置３５Ｂ）に略結像する。
【０１２０】
反射型液晶パネル１３０Ｒは、Ｐ偏光の赤成分光Ｒの偏光方向を回転して、Ｓ偏光の赤成分光Ｒを反射する。同様に、反射型液晶パネル１３０Ｇは、Ｐ偏光の緑成分光Ｇの偏光方向を回転して、Ｓ偏光の緑成分光Ｇを反射する。
【０１２１】
一方で、反射型液晶パネル１３０Ｂは、Ｓ偏光の青成分光Ｂの偏光方向を回転して、Ｐ偏光の青成分光Ｂを反射する。同様に、反射型液晶パネル１３０Ｙｅは、Ｓ偏光の黄成分光Ｙｅの偏光方向を回転して、Ｐ偏光の黄成分光Ｙｅを反射する。
【０１２２】
ダイクロイックミラー１５０は、光源１０が発する白色光のうち、赤成分光Ｒ及び黄成分光Ｙｅを反射して、緑成分光Ｇ及び青成分光Ｂを透過する。
【０１２３】
ＰＢＳキューブ２２０Ａは、入射面２２１Ａと、入出射面２２２Ａと、入出射面２２３Ａと、出射面２２４Ａと、ＰＢＳ面２２５Ａとを有する。
【０１２４】
ここで、ＰＢＳ面２２５Ａは、Ｓ偏光の色成分光を反射して、Ｐ偏光の色成分光を透過する。従って、ＰＢＳ面２２５Ａは、入射面２２１Ａから入射したＰ偏光の赤成分光Ｒを透過し、入射面２２１Ａから入射したＳ偏光の黄成分光Ｙｅを反射する。一方で、ＰＢＳ面２２５Ａは、入出射面２２２Ａから入射したＳ偏光の赤成分光Ｒを反射し、入出射面２２３Ａから入射したＰ偏光の黄成分光Ｙｅを透過する。
【０１２５】
このように、ＰＢＳキューブ２２０Ａは、入射面２２１Ａから入射した赤成分光Ｒ及び黄成分光Ｙｅを分離して、入出射面２２２Ａ及び入出射面２２３Ａから赤成分光Ｒ及び黄成分光Ｙｅをそれぞれ出射する。一方で、ＰＢＳキューブ２２０Ａは、入出射面２２２Ａから入射した赤成分光Ｒ及び入出射面２２３Ａから入射した黄成分光Ｙｅを合成して、赤成分光Ｒ及び黄成分光Ｙｅが合成された合成光を出射面２２４Ａから出射する。
【０１２６】
ＰＢＳキューブ２２０Ｂは、入射面２２１Ｂと、入出射面２２２Ｂと、入出射面２２３Ｂと、出射面２２４Ｂと、ＰＢＳ面２２５Ｂとを有する。
【０１２７】
ここで、ＰＢＳ面２２５Ｂは、Ｓ偏光の色成分光を反射して、Ｐ偏光の色成分光を透過する。従って、ＰＢＳ面２２５Ｂは、入射面２２１Ｂから入射したＰ偏光の緑成分光Ｇを透過し、入射面２２１Ｂから入射したＳ偏光の青成分光Ｂを反射する。一方で、ＰＢＳ面２２５Ｂは、入出射面２２２Ｂから入射したＳ偏光の緑成分光Ｇを反射し、入出射面２２３Ｂから入射したＰ偏光の青成分光Ｂを透過する。
【０１２８】
このように、ＰＢＳキューブ２２０Ｂは、入射面２２１Ｂから入射した緑成分光Ｇ及び青成分光Ｂを分離して、入出射面２２２Ｂ及び入出射面２２３Ｂから緑成分光Ｇ及び青成分光Ｂをそれぞれ出射する。一方で、ＰＢＳキューブ２２０Ｂは、入出射面２２２Ｂから入射した緑成分光Ｇ及び入出射面２２３Ｂから入射した青成分光Ｂを合成して、緑成分光Ｇ及び青成分光Ｂが合成された合成光を出射面２２４Ａから出射する。
【０１２９】
ここで、第８実施形態では、ダイクロイックミラー１５０、ＰＢＳキューブ２２０Ａ及びＰＢＳキューブ２２０Ｂは、光源１０から出射された光を分離する色分離手段を構成することに留意すべきである。また、ＰＢＳキューブ２２０Ａ及びＰＢＳキューブ２２０Ｂは、色分離手段によって分離された複数種類の色成分光を合成する色合成手段（第１色合成部）を構成することに留意すべきである。
【０１３０】
ダイクロイックキューブ２３０（第２色合成部）は、ＰＢＳキューブ２２０Ａ及びＰＢＳキューブ２２０Ｂから出射された合成光を含む複数種類の色成分光が入射する複数の入射面（入射面２３１及び入射面２３２）と、複数の入射面から入射した色成分光が合成された合成光が出射される出射面（出射面２３４）とを有する。具体的には、各入射面から入射した色成分光は、ダイクロイック面２３５によって合成され、出射面２３４から出射される。
【０１３１】
第８実施形態では、入射面２３１には、ＰＢＳキューブ２２０Ａから出射された合成光が入射する。一方で、入射面２３２には、ＰＢＳキューブ２２０Ｂから出射された合成光が入射する。
【０１３２】
第８実施形態では、ダイクロイック面２３５は、緑成分光Ｇ及び青成分光Ｂを反射して、赤成分光Ｒ及び黄成分光Ｙｅを透過する。
【０１３３】
（作用及び効果）
第８実施形態に係る投写型映像表示装置１００（又は、照明装置１２０）によれば、反射型液晶パネル１３０を用いる場合であっても、上述した第１実施形態と同様の効果を得ることができる。
【０１３４】
また、反射型液晶パネル１３０を用いることによって、コントラスト性の向上、応答特性の向上や開口率の向上などを図ることができる。
【０１３５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３６】
具体的には、上述した中間結像ユニット４０（中間結像ユニット４０Ａ又は中間結像ユニット４０Ｂ）の構成は、照明装置１２０の光学設計に応じて適宜変更しても構わない。従って、中間結像ユニット４０に含まれるレンズの種類や数などについては、上述した実施形態に限定されないことに留意すべきである。
【０１３７】
上述した実施形態では、光源１０が白色光源である場合について例示したが、これに限定されるものではない。具体的には、照明装置で利用される色成分光の全て又は一部を発する固体光源（ＬＥＤやレーザなど）を用いてもよい。
【０１３８】
上述した実施形態では、第１色合成部や第２色合成部として、ダイクロイックキューブを用いる場合について例示したが、これに限定されるものではない。第１色合成部や第２色合成部は、複数種類の色成分光を合成可能に構成されていればよい。
【０１３９】
すなわち、一つの色合成部によって合成可能な色成分光の数を超える数の色成分光を利用する場合に、上述した各実施形態に示した照明装置１２０を適用することが可能である。
【０１４０】
上述した第８実施形態では、ＰＢＳキューブ２２０Ａ及びＰＢＳキューブ２２０ＢのＰＢＳ膜は、Ｐ偏光の色成分光を透過して、Ｓ偏光の色成分光を反射するように構成されているが、これに限定されるものではない。例えば、Ｓ偏光の色成分光を透過して、Ｐ偏光の色成分光を反射するように構成されたＰＢＳ膜を有するＰＢＳキューブを用いてもよい。
【図面の簡単な説明】
【０１４１】
【図１】第１実施形態に係る投写型映像表示装置１００の概略を示す図である。
【図２】第１実施形態に係る照明装置１２０の概略構成を示す図である。
【図３】第２実施形態に係る照明装置１２０の概略構成を示す図である。
【図４】第３実施形態に係る照明装置１２０の概略構成を示す図である。
【図５】第４実施形態に係る照明装置１２０の概略構成を示す図である。
【図６】第５実施形態に係る照明装置１２０の概略構成を示す図である。
【図７】第６実施形態に係る照明装置１２０の概略構成を示す図である。
【図８】第７実施形態に係る照明装置１２０の概略構成を示す図である。
【図９】第７実施形態に係る照明装置１２０の概略構成を示す図である。
【符号の説明】
【０１４２】
１０・・・光源、２０Ａ，Ｂ・・・ダイクロイックキューブ、２１〜２３・・・入射面２１、２４・・・出射面、２５〜２６・・・ダイクロイック面、３０・・・液晶パネル、４０・・・中間結像ユニット、４１〜４５・・・レンズ、４８・・・反射ミラー、５０・・・レンズ、６１〜６３・・・ダイクロイックミラー、７１〜７３・・・反射ミラー、１００・・・投写型映像表示装置、１１０・・・投写レンズユニット、１２０・・・照明装置、１２０Ａ，Ｂ・・・ダイクロイックキューブ、１２１〜１２３・・・入射面、１２４・・・出射面、１２５〜１２６・・・ダイクロイック面、１３０・・・反射型液晶パネル、１５０・・・ダイクロイックミラー、１６１〜１６２・・・ダイクロイックミラー、１７１〜１７４・・・反射ミラー、１８０・・・クロスダイクロイックキューブ、２００・・・スクリーン、２２０Ａ，Ｂ・・・ＰＢＳキューブ、２２１〜２２３・・・入射面、２２４・・・出射面、２２５・・・ＰＢＳ面、２３０・・・ダイクロイックキューブ、２３１〜２３２・・・入射面、２３４・・・出射面、２３５・・・ダイクロイック面、２６１〜２６３・・・ダイクロイックミラー、２７１〜２７３・・・反射ミラー、３６１〜３６３・・・ダイクロイックミラー、３７１〜３７４・・・反射ミラー
【図１】
2008185938.tif 000003
【図２】
2008185938.tif 000004
【図３】
2008185938.tif 000005
【図４】
2008185938.tif 000006
【図５】
2008185938.tif 000007
【図６】
2008185938.tif 000008
【図７】
2008185938.tif 000009
【図８】
2008185938.tif 000010
【図９】
2008185938.tif 000011